(57)【要約】【課題】  バッテリを内蔵してなるバッテリパックを、吸引器本体である吸引器パックのボディに対して極めて簡易に後付けおよび取り外しすることのできる医療用電動式吸引器を提供する。【解決手段】  この医療用電動式吸引器は、ボディ内に電動ポンプ３０が内蔵されている吸引器パック１と、吸引器パック１に少なくとも電動ポンプ３０を動作させるための電力を供給するバッテリ本体２１がボディ内に内蔵されているバッテリパック２とを有する、医療用電動式吸引器である。バッテリパック２のボディが、吸引器パック１のボディに対して取り付けおよび取り外し可能に形成されている。そのバッテリパック２のボディ内に、電気・電子回路５０が設けられている。そして、バッテリパック２のボディ上面には、バッテリ充放電モード切替スイッチ５３が設けられている。【選択図】  図１
2020175030.tif 000002
【特許請求の範囲】
【請求項１】
ボディ内に電動ポンプが内蔵されている吸引器パックと、前記吸引器パックに少なくとも前記電動ポンプを動作させるための電力を供給するバッテリ本体がボディ内に内蔵されているバッテリパックとを有する、医療用電動式吸引器であって、
前記バッテリパックのボディが、前記吸引器パックのボディに対して取り付けおよび取り外し可能に形成されている
医療用電動式吸引器。
【請求項２】
請求項１に記載の医療用電動式吸引器において、
前記バッテリパックには、
電力供給回路系と、
バッテリ充電回路系と、
バッテリ充放電モード切替スイッチと、
が設けられており、
前記電力供給回路系は、
少なくともＣＰＵまたはマイコンを含まない、アナログ回路として形成されていて、
前記外部の電源から供給される外部電源電力を前記電動ポンプに供給する外部電源電力供給回路と、
前記バッテリ本体から出力されるバッテリ電力を前記電動ポンプに供給するバッテリ電力供給回路と、
前記外部電源電力および前記バッテリ電力のうち前記外部電源電力を優先的に前記電動ポンプに供給する電力供給電源選択回路と、
を含んでおり、
前記バッテリ充電回路系は、
前記外部の電源から供給される外部電源電力を、前記バッテリ本体の充電のためのバッテリ充電電力として、前記バッテリ本体に供給する回路系であって、
前記バッテリ充電電力を調節して前記バッテリ本体の充電を制御するバッテリ充電制御回路を含んでおり、
前記バッテリ充放電モード切替スイッチは、
前記バッテリ本体から前記バッテリ電力を放電させて前記電動ポンプに供給するバッテリ放電モードと、前記外部電源電力を前記バッテリ本体に充電させるバッテリ充電モードとの、切り替えを行うように構成されている
ことを特徴とする医療用電動式吸引器。
【請求項３】
請求項２に記載の医療用電動式吸引器において、
前記電力供給回路系は、
前記バッテリ本体の蓄電残量を計測して表示する、アナログ回路として形成された、バッテリ残量表示回路と、
前記バッテリ本体の蓄電残量が所定の閾値以下になると、それを検知して前記バッテリ本体からの放電を休止する、アナログ回路として形成された、バッテリ放電休止回路と、
を、さらに含む
ことを特徴とする医療用電動式吸引器。
【請求項４】
請求項１から３のいずれか１つに記載の医療用電動式吸引器において、
前記バッテリパックには、
当該バッテリパックの外部の電源の外部電源電力供給コネクタに接続されて、前記外部の電源から供給される外部電源電力を受給するバッテリパック側外部電源電力受給コネクタと、
当該バッテリパックに内蔵されているバッテリ本体から供給されるバッテリ電力、または、前記バッテリパック側外部電源電力受給コネクタで受給した前記外部電源電力を、前記吸引器パックに設けられている吸引器パック側電力受給コネクタを介して、前記吸引器パックに内蔵されている電動ポンプに供給するバッテリパック側電力供給コネクタと、
が設けられており、
前記吸引器パックには、
外部の電源に接続されている外部電源電力供給コネクタに接続されて、前記外部の電源から供給される外部電源電力を受給する吸引器パック側外部電源電力受給コネクタと、
前記バッテリパック側電力供給コネクタに接続されて、前記バッテリパックから供給される前記電力を受給する前記吸引器パック側電力受給コネクタと、
が設けられている
ことを特徴とする医療用電動式吸引器。
【請求項５】
請求項４に記載の医療用電動式吸引器において、
前記吸引器パック側外部電源電力受給コネクタと、前記吸引器パック側電力受給コネクタとが、１つのコネクタで以て兼用されており、かつ
前記外部電源電力供給コネクタおよび前記バッテリパック側電力供給コネクタが共に、前記１つのコネクタとの接続に適合するように構成されている
ことを特徴とする医療用電動式吸引器。
【請求項６】
請求項４または５に記載の医療用電動式吸引器において、
前記吸引器パック側外部電源電力受給コネクタと、前記バッテリパック側外部電源電力受給コネクタとが、同一種類の外部電源電力供給コネクタとの接続に適合するように構成されている
ことを特徴とする医療用電動式吸引器。
【発明の詳細な説明】
【技術分野】
【０００１】
本発明は、例えば電動ポンプのような電気的動力源を有する吸引用ポンプを内蔵した医療用電動式吸引器に関する。
【背景技術】
【０００２】
特許文献１には、医療用電動式吸引器が提案されている。
そのような所謂コンパクト型または携帯型の医療用電動式吸引器は、病院内で医師や看護師等の手で患者に吸引を行うことも勿論あるが、医療関係者ではない一般的なユーザーが、患者自身または家族等のために、そのユーザー自身の手で吸引を行う場合も多い。
【先行技術文献】
【特許文献】
【０００３】
【特許文献１】特開２００４−５０７３２４号公報
【発明の概要】
【発明が解決しようとする課題】
【０００４】
上述のような従来技術に係る医療用電動式吸引器は、一般に、所謂ＡＣ−ＤＣアダプタまたはそれに代わるバッテリを、所謂外部電源として用いるか、吸引器本体内に予め内蔵された所謂内蔵型バッテリを用いて、吸引器本体内のポンプ用の電動機等に電源電力を供給するようにしている。
しかしながら、従来技術に係る医療用電動吸引器では、吸引器本体にバッテリおよび充電回路が内蔵されたものもあるが、その全体的な構造が比較的煩雑になりがちであり、従ってまた全体的に製造コスト等が高額なものとなる傾向にあるという問題があった。
また、吸引器本体にバッテリを後付で搭載可能なものもあるが、そのバッテリを充電する充電器は、吸引器本体やバッテリ本体とは別に用意されており、従って充電は、その都度バッテリ本体を吸引器本体から取り外して行わなければならず、その操作が煩雑であるという問題もあった。
本発明の目的は、このような問題を解決するためになされたもので、上述のような動力用のバッテリが不要なユーザーに対しては、工場出荷時点でバッテリレスでも十分有効に機能する、単機能でシンプルな構造の、安価な吸引器として提供することができ、かつ、バッテリを必要とするユーザーに対しては、吸引器本体の購入当初から、または購入後に吸引器本体と一体で取扱えるように簡易かつ確実に、従ってまた安価に、バッテリを取り付けることができる医療用電動式吸引器を提供することにある。
【課題を解決するための手段】
【０００５】
（１）  本発明の医療用電動式吸引器は、ボディ内に電動ポンプが内蔵されている吸引器パックと、前記吸引器パックに少なくとも前記電動ポンプを動作させるための電力を供給するバッテリ本体がボディ内に内蔵されているバッテリパックとを有する、医療用電動式吸引器であって、前記バッテリパックのボディが、前記吸引器パックのボディに対して取り付けおよび取り外し可能に形成されている。
（２）  好適には、前記バッテリパックには、電力供給回路系と、バッテリ充電回路系と、バッテリ充放電モード切替スイッチと、が設けられており、前記電力供給回路系は、少なくともＣＰＵまたはマイコンを含まない、アナログ回路として形成されていて、前記外部の電源から供給される外部電源電力を前記電動ポンプに供給する外部電源電力供給回路と、前記バッテリ本体から出力されるバッテリ電力を前記電動ポンプに供給するバッテリ電力供給回路と、前記外部電源電力および前記バッテリ電力のうち前記外部電源電力を優先的に前記電動ポンプに供給する電力供給電源選択回路とを含んでおり、前記バッテリ充電回路系は、前記外部の電源から供給される外部電源電力を、前記バッテリ本体の充電のためのバッテリ充電電力として、前記バッテリ本体に供給する回路系であって、前記バッテリ充電電力を調節して前記バッテリ本体の充電を制御するバッテリ充電制御回路を含んでおり、前記バッテリ充放電モード切替スイッチは、前記バッテリ本体から前記バッテリ電力を放電させて前記電動ポンプに供給するバッテリ放電モードと、前記外部電源電力を前記バッテリ本体に充電させるバッテリ充電モードとの、切り替えを行うように構成される。
（３）  また、好適には、前記電力供給回路系は、前記バッテリ本体の蓄電残量を計測して表示する、アナログ回路として形成された、バッテリ残量表示回路と、前記バッテリ本体の蓄電残量が所定の閾値以下になると、それを検知して前記バッテリ本体からの放電を休止する、アナログ回路として形成された、バッテリ放電休止回路とを、さらに含むようにするとよい。
（４）  また、好適には、前記バッテリパックには、当該バッテリパックの外部の電源の外部電源電力供給コネクタに接続されて、前記外部の電源から供給される外部電源電力を受給するバッテリパック側外部電源電力受給コネクタと、当該バッテリパックに内蔵されているバッテリ本体から供給されるバッテリ電力、または、前記バッテリパック側外部電源電力受給コネクタで受給した前記外部電源電力を、前記吸引器パックに内蔵されている電動ポンプに前記吸引器パックに設けられている吸引器パック側電力受給コネクタを介して供給するバッテリパック側電力供給コネクタとが設けられており、前記吸引器パックには、外部の電源に接続されている外部電源電力供給コネクタに接続されて、前記外部の電源から供給される外部電源電力を受給する吸引器パック側外部電源電力受給コネクタと、前記バッテリパック側電力供給コネクタに接続されて、前記バッテリパックから供給される前記電力を受給する前記吸引器パック側電力受給コネクタとが設けられているようにするとよい。
（５）  また、好適には、前記吸引器パック側外部電源電力受給コネクタと、前記吸引器パック側電力受給コネクタとが、１つのコネクタで以て兼用されており、かつ、前記外部電源電力供給コネクタおよび前記バッテリパック側電力供給コネクタが共に、前記１つのコネクタとの接続に適合するように構成されているようにするとよい。
（６）  また、好適には、前記吸引器パック側外部電源電力受給コネクタと、前記バッテリパック側外部電源電力受給コネクタとが、同一種類の外部電源電力供給コネクタとの接続に適合するように構成されているようにするとよい。
【発明の効果】
【０００６】
本発明における医療用電動式吸引器によって、吸引器本体つまり吸引器パックにバッテリパックを極めて簡易に後付けおよび取り外しすることを可能とした医療用電動式吸引器を提供することが可能となった。
【図面の簡単な説明】
【０００７】
【図１】本発明の一実施形態に係る医療用電動式吸引器ユニットの全体的な外観を、その前面から見た斜視図として示す説明図である。
【図２】本発明の一実施形態に係る医療用電動式吸引器ユニットの全体的な外観を、その上面から見た斜視図として示す説明図である。
【図３】本発明の一実施形態に係る医療用電動式吸引器ユニットのバッテリパックを吸引器パックの所定の取付箇所に取り付けた状態を、一部省略断面図として示す説明図である。
【図４】本発明の一実施形態に係る医療用電動式吸引器ユニットの全体的な外観を、その背面から見た斜視図として示す説明図である。
【図５】本発明の一実施形態に係る医療用電動式吸引器ユニットにおける電気・電子的回路構成の主要部を、簡略化した回路図として示す説明図である。
【図６】本発明の一実施形態に係る医療用電動式吸引器ユニットの電気・電子的な回路構成における、バッテリ充電モードでの電力の流れを、模式的に示す説明図である。
【図７】本発明の一実施形態に係る医療用電動式吸引器ユニットの電気・電子的な回路構成における、バッテリ本体から供給される電力が電動ポンプに供給される場合の電力の流れを、模式的に示す説明図である。
【図８】本発明の一実施形態に係る医療用電動式吸引器ユニットの電気・電子的な回路構成における、外部の電源から供給される電力が電動ポンプに供給される場合の電力の流れを、模式的に示す説明図である。
【発明を実施するための形態】
【０００８】
図１は、本発明の一実施形態に係る医療用電動式吸引器ユニットの全体的な外観を、その前面から見た斜視図として示す説明図である。
【０００９】
この医療用電動式吸引器は、吸引器パック１と、バッテリパック２とで、１つの医療用電動式吸引器ユニットを構成するように設定されている。
そして、バッテリパック２全体が、吸引器パック１に対して、取り付けおよび取り外し可能に形成されている。
【００１０】
吸引器パック１は、そのボディ内に、例えばダイヤフラム式の電動ポンプ３０（図１、図２、図３では図示省略）を内蔵している。
吸引器パック１には、吸引瓶１１を直立した状態で保持する吸引瓶保持部１２が設けられている。
吸引器パック１の負圧連通チューブ１３に吸引瓶１１の負圧連通管路１４が接続される。負圧連通チューブ１３は、吸引器パック１の内部に設けられている電動ポンプ３０に接続されている。
また、吸引物導入管路１５の瓶外側の先端部には、患者からの唾液・鼻汁・痰・血液・その他の体液や各種粘性流体等を吸引する吸引チューブ（図示省略）が接続される。
吸引器パック１の前面、つまり所謂ユーザー・インターフェース面には、圧力計１６と調節ツマミ１７とが設けられている。
吸引の圧力は、圧力計１６によって表示される。また、その圧力の調節は、ユーザーによって調節ツマミ１７を用いて調節されるように設定されている。
【００１１】
図２は、本発明の一実施形態に係る医療用電動式吸引器ユニットの全体的な外観を、その上面から見た斜視図として示す説明図である。
【００１２】
バッテリパック２は、そのボディ内に、図３に示すような形でバッテリ本体２１が内蔵されている。
そのバッテリ本体２１は、吸引器パック１に内蔵されている電動ポンプ３０を動作させるための電力を、後述するコネクタ類および回路系等を介して供給する。
その所謂ユーザー・インターフェース面には、バッテリ充放電モード切替スイッチ５３の操作用ツマミ２２、バッテリ残量３段階表示灯２３等が設けられている。
【００１３】
操作用ツマミ２２は、ユーザーがそれを操作することによって、バッテリ本体２１からバッテリ電力を放電させて電動ポンプ３０に供給するバッテリ放電モードと、外部電源電力をバッテリ本体２１に充電させるバッテリ充電モードとの、切り替えを行うことができるように設けられたものである。
より具体的な態様としては、例えば、この操作用ツマミ２２を「吸引」と表示されている方にスライドさせると、上述のバッテリ放電モードとなり、「充電」と表示されている方にスライドさせると、上述のバッテリ充電モードとなるように設定されている。
この操作用ツマミ２２は、本医療用電動式吸引器の使用中の誤操作等を回避するために、図２に示すような所謂スライドスイッチ式としている。
【００１４】
バッテリ残量３段階表示灯２３は、後述するバッテリ残量表示回路によって検知された、バッテリ本体２１の蓄電残量を、３段階の点灯状態で表示する。
例えば、満充電から蓄電残量８０％までは３つのＬＥＤの点灯で表し、蓄電残量７９％未満から５０％までは２つのＬＥＤの点灯で表し、それ未満になると１つの点灯で表す、というような３段階の点灯状態で蓄電残量を表示するように設定されている。
【００１５】
図３は、本発明の一実施形態に係るバッテリパックを吸引器パックのボディにおける所定の取付箇所に取り付けた状態を、一部省略断面図として示す説明図である。
【００１６】
バッテリパック２のボディ内には、バッテリ本体２１が内蔵されている。そのバッテリ本体２１は、バッテリパック２から取り外すことができるようにするとよい。但しこれのみには限定されず、例えばバッテリ本体２１がその寿命に達して使えなくなった、というような場合には、バッテリパック２全体を、つまりそのボディごと、廃棄するように設定することも可能である。
バッテリパック２のボディ２４には、吸引器パック１の凹部１８に適合する形状および寸法の凸部２５が設けられている。
そして、バッテリパック２の凸部２５を吸引器パック１の凹部１８に嵌め合わせ、長めのねじ無し部分を有し先端部にねじ部分を有する、所謂半ねじボルト１０１を固定用ボルトとして用いて、バッテリパック２に設けられた貫通孔２０１に通し、吸引器パック１のボディ１９に設けられているボルト受けネジ部１０２にネジ止めすることにより、バッテリパック２を吸引器パック１に、極めて簡易に、かつ、がたつきや不意の緩み等の虞なく確実に、固定することができる。
また、バッテリパック２を吸引器パック１から取り外す場合は、半ねじボルト１０１のネジを緩めて貫通孔２０１から抜き取ることで、極めて簡易に取り外すことができる。而してその際に、後述する各種コネクタの接続の解除も行うことは勿論である。
なお、バッテリパック２をボディ２４に固定するための固定用ボルトとしては、上述の半ねじボルトのみには限定されず、例えば全ねじボルトを用いてもよいことは勿論である。
また、バッテリパック２を吸引器パック１のボディ２４における所定の取付箇所に取り付ける具体的な構造やその固定方法自体は、上述のような構造のみには限定されないことは勿論である。上述の他にも、例えば、図示は省略するが、バッテリパック２を吸引器パック１のボディ２４に所謂スライド装着するべく、スライド溝をボディ２４に設けると共にそれに適合するフック爪部をバッテリパック２に設けるようにすることなども可能である。
【００１７】
図４は、本発明の一実施形態に係る医療用電動式吸引器ユニットの全体的な外観を、その背面から見た斜視図として示す説明図である。
【００１８】
バッテリパック２には、バッテリパック側外部電源電力受給コネクタ４１と、バッテリパック側電力供給コネクタ４２とが、設けられている。
バッテリパック側外部電源電力受給コネクタ４１は、バッテリパック２の外部の、例えばＡＣ−ＤＣアダプタ６０のような電源の外部電源電力供給コネクタ４３に接続され、その外部電源電力供給コネクタ４３を介して外部の電源から供給される外部電源電力を受給し、その電力をバッテリパック２の内部に取り込むように設定されている。
バッテリパック側電力供給コネクタ４２は、吸引器パック１に設けられている吸引器パック側電力受給コネクタ４４に接続されて、バッテリパック２に内蔵されているバッテリ本体２１から供給されるバッテリ電力、または、上述のバッテリパック側外部電源電力受給コネクタ４１で受給した外部電源電力を、吸引器パック１内の電動ポンプ３０に供給するように設定されている。
【００１９】
吸引器パック１には、吸引器パック側外部電源電力受給コネクタ４５と、吸引器パック側電力受給コネクタ４４とが、設けられている。
吸引器パック側外部電源電力受給コネクタ４５は、外部の電源に接続されている外部電源電力供給コネクタ４３に接続されて、その外部電源電力を受給し、その受給した外部電源電力を、吸引器パック１に内蔵されている電動ポンプ３０に供給するように設定されている。
吸引器パック側電力受給コネクタ４４は、バッテリパック側電力供給コネクタ４２に接続されて、バッテリパック２に内蔵されているバッテリ本体２１から供給されるバッテリ電力、または、バッテリパック２がバッテリパック側外部電源電力受給コネクタ４１で受給した外部電源電力を、受給するように設定されている。
【００２０】
上述のように、各種コネクタ４１、４２、４３、４４、４５が、吸引器パック１とバッテリパック２とに設けられているので、本実施形態に係る医療用電動式吸引器ユニットでは、次のような多様で柔軟な電力供給方法の選択が可能となっている。
すなわち、吸引器パック１は、バッテリパック２が取り付けられていないときには、その吸引器パック１に設けられている吸引器パック側外部電源電力受給コネクタ４５に、ＡＣ−ＤＣアダプタ６０のような外部の電源の外部電源電力供給コネクタ４３を接続することにより、その外部電源電力供給コネクタ４３を介して、外部の電源から外部電源電力を受給することができる。
また、吸引器パック１にバッテリパック２が取り付けられているときには、その吸引器パック１は、その吸引器パック１に設けられている吸引器パック側電力受給コネクタ４４にバッテリパック側電力供給コネクタ４２を接続することにより、そのバッテリパック側電力供給コネクタ４２を介して、バッテリパック２のバッテリ本体２１から供給されるバッテリ電力を受給することができる。
【００２１】
ここで、吸引器パック側外部電源電力受給コネクタ４５と、吸引器パック側電力受給コネクタ４４とを、１つのコネクタ（図４に示す一例では吸引器パック側電力受給コネクタ４４）で兼用するものとし、かつ外部電源電力供給コネクタ４３およびバッテリパック側電力供給コネクタ４２が共に、上述の１つのコネクタとの接続に適合するように構成されているようにすることは、好ましい一態様である。
そのような構成とすることにより、吸引器パック１に、バッテリパック２が取り付けられていないときも、バッテリパック２が取り付けられているときも、いずれの場合でも、吸引器パック１において上述のように兼用されている１つのコネクタ（例えば吸引器パック側電力受給コネクタ４４）のみを介して、外部電源電力またはバッテリパック２からの電力を吸引器パック１に供給することが可能となる。
【００２２】
また、吸引器パック側外部電源電力受給コネクタ４５と、バッテリパック側外部電源電力受給コネクタ４１とが、同一種類の外部電源電力供給コネクタ４３との接続に適合するように構成されているようにすることは、好ましい一態様である。
そのような構成とすることにより、吸引器パック１にバッテリパック２が取り付けられていないときには、外部電源電力供給コネクタ４３を吸引器パック側外部電源電力受給コネクタ４５に接続することで、外部電源電力を吸引器パック１に供給することが可能となる。
また、バッテリパック２が取り付けられているときには、上述の外部電源電力供給コネクタ４３をバッテリパック側外部電源電力受給コネクタ４１に接続することで、外部電源電力を吸引器パック１に供給することができる。
このようにして、吸引器パック１に、バッテリパック２が取り付けられていないときも、バッテリパック２が取り付けられているときも、いずれの場合でも、同一種類の外部電源電力供給コネクタ４３を有するＡＣ−ＤＣアダプタ６０のような外部の電源を用いて、本実施形態に係る医療用電動式吸引器ユニットに外部電源電力を受給することが可能となる。
【００２３】
また、上述のような同一種類の外部電源電力供給コネクタ４３との接続に適合するコネクタや、兼用される１つのコネクタ等の構成を採用することにより、本実施形態に係る医療用電動式吸引器ユニットに設けられるコネクタの個数を削減することが可能となる。
また、外部電源電力をこの医療用電動式吸引器ユニットに供給するための外部電源電力供給コネクタ４３の種類を一種類で済ませること、または、そのようなコネクタを有するＡＣ−ＤＣアダプタ６０のような外部の電源を１個用意するだけで済ませることが、可能となる。すなわち、付属部品点数を削減することが可能となる。
【００２４】
図５は、本発明の一実施形態に係る医療用電動式吸引器ユニットにおける電気・電子的な回路構成を、簡略化した回路図として示す説明図である。
【００２５】
バッテリパック２のボディ内には、電気・電子回路５０が、例えばプリント配線板に各種の電気部品および電子部品を実装してなるプリント回路板（図示省略）の形で以て、収容されている。
電気・電子回路５０は、電力供給回路系５１と、バッテリ充電回路系５２と、バッテリ充放電モード切替スイッチ５３とから、その主要部が構成されている。
【００２６】
バッテリ充放電モード切替スイッチ５３は、バッテリ本体２１からバッテリ電力を電動ポンプ３０に供給するバッテリ放電モードと、外部電源電力をバッテリ本体２１に充電するバッテリ充電モードとの、切り替えを行うように構成されている。
このバッテリ充放電モード切替スイッチ５３としては、例えば、所謂６接点２回路構成のスイッチを用いることができる。
【００２７】
電力供給回路系５１は、少なくともＣＰＵまたはマイコンを含まない、アナログ回路として形成された、電力供給電源選択回路５１１と、バッテリ残量表示回路５１２と、バッテリ放電休止回路５１３とを含んで、その主要部が構成されており、外部電源電力を電動ポンプ３０に供給する機能と、バッテリ電力を電動ポンプ３０に供給する機能とを、兼ね備えている。
電力供給回路系５１は、上述のように、ＣＰＵやマイコンを含まない、従ってそれらの所謂デジタル回路系よりも耐環境性やメンテナンスフリー性の高いアナログ回路で構成されているので、例えば携帯用の医療用電動式吸引器のような、屋外など使用環境が厳しく、また十分なメンテナンスを施すことが困難な傾向にある情況での使用にも、十分に耐えられるものとなっている。
【００２８】
電力供給電源選択回路５１１は、外部の電源から供給される外部電源電力およびバッテリ本体２１から供給されるバッテリ電力の両方を受けることが可能となっており、それらのうち外部電源電力を優先的に、電動ポンプ３０に供給する。
すなわち、バッテリパック側外部電源電力受給コネクタ４１または吸引器パック側外部電源電力受給コネクタ４５に外部電源電力供給コネクタ４３が接続されて、ＡＣ−ＤＣアダプタ６０のような外部の電源から外部電源電力が供給されているときは、それと並行してバッテリ本体２１からバッテリ電力が供給されていても、外部電源電力の方を優先的に選択して、電動ポンプ３０に供給する。
また、バッテリパック側外部電源電力受給コネクタ４１にも吸引器パック側外部電源電力受給コネクタ４５にも外部電源電力供給コネクタ４３が接続されておらず、従って外部電源電力が吸引器パック１に供給されていないときには、それと並行してバッテリ本体２１から供給されているバッテリ電力を、電動ポンプ３０に供給する。
なお、この電力供給電源選択回路５１１は、上述の他にも、バッテリ本体２１からの電力の暗放電を防止する機能も備えたものとなっている。
バッテリ残量表示回路５１２は、バッテリ本体２１の蓄電残量を計測し、その計測結果の情報を担持してなる信号に基づいて、バッテリ残量３段階表示灯２３の点灯個数を制御する。
バッテリ放電休止回路５１３は、バッテリ本体２１の蓄電残量または出力電圧レベルが、例えば１０Ｖ（ボルト）のような所定の閾値よりも低くなると、それを検知して、バッテリ本体２１からの放電（つまり電動ポンプ３０への電力供給）を強制的に休止する。
【００２９】
バッテリ充電回路系５２は、ＡＣ−ＤＣアダプタ６０のような外部の電源から供給される外部電源電力を、バッテリ本体２１の充電のためのバッテリ充電電力として、バッテリ本体２１に供給する回路系である。
バッテリ充電回路系５２は、バッテリ充電電力を調節してバッテリ本体２１の充電を制御するバッテリ充電制御回路５１４を含んでいる。そのバッテリ充電制御回路５１４は、マイコンまたはＣＰＵをその主要部として含んで構成されている。
【００３０】
バッテリ充電回路系５２は、バッテリ充放電モード切替スイッチ５３によって上述の電力供給回路系５１から実質的に分断されて、上述の電力供給回路系５１とは別系統の回路系となっている。
すなわち、ユーザーによって放電モード（操作用ツマミ２２の「吸引」側）が選択されているとき、つまりバッテリ充放電モード切替スイッチ５３がバッテリ放電モードにあるときには、電力供給回路系５１のみが機能して、バッテリ本体２１から電力を吸引器パックの電動ポンプ３０に供給する。
また、ユーザーによって充電モード（操作用ツマミ２２の「充電」側）が選択されているとき、つまりバッテリ充放電モード切替スイッチ５３がバッテリ充電モードにあるときには、バッテリ充電回路系５２のみが機能して、バッテリ本体２１に、ＡＣ−ＤＣアダプタ６０のような外部の電源からの電力を供給し、そのバッテリ本体２１を充電する。
なお、図５に示した本実施形態に係る電気・電子回路５０においては、上述の他にも、電源電力平滑化回路５４なども有しているが、そのような所謂補助的な回路については、一般的な機能や構成のもので構わないので、その詳細な説明は省略する。
【００３１】
図６は、本発明の一実施形態に係る医療用電動式吸引器ユニットの電気・電子的な回路構成における、バッテリ充電モードでの電力の流れを、模式的に示す説明図である。
【００３２】
この図６では、バッテリ充放電モード切替スイッチ５３がバッテリ充電モードにある場合を示している。
本実施形態に係る医療用電動式吸引器ユニットは、バッテリ充電モードにおいては、ＡＣ−ＤＣアダプタ６０のような外部の電源から電力を供給されることが必要であるから、バッテリパック２のバッテリパック側外部電源電力受給コネクタ４１に外部電源電力供給コネクタ４３が接続される。
その外部電源電力供給コネクタ４３を介してＡＣ−ＤＣアダプタ６０のような外部の電源から供給される外部電源電力（の電流）は、バッテリ充電回路系５２における、図６に太線の矢印Ｉchargeで示した経路を辿って、バッテリ本体２１に供給され、そのバッテリ本体２１を充電する。
その際、バッテリ充電制御回路５２は、バッテリ本体２１に設けられている温度センサ等から送られてくる所謂ＴＨ信号に基づいて、バッテリ本体２１が過充電や過熱のような危険な状態に陥っているか否かを検知する。そして、もしも危険な状態に陥っていることが検知された場合には、充電動作を停止する。
また、例えば所謂トリクル充電法を採用している場合などには、充電電圧レベルの調節およびその変更タイミング等を、このバッテリ充電制御回路によって制御する。
【００３３】
図７は、本発明の一実施形態に係る医療用電動式吸引器ユニットの電気・電子的な回路構成における、バッテリ放電モードでの電力の流れであって、特にバッテリ本体から供給される電力が電力供給回路系を介して電動ポンプに供給される場合の電力の流れを、模式的に示す説明図である。
【００３４】
この図７では、バッテリ充放電モード切替スイッチ５３がバッテリ放電モードにあり、かつＡＣ−ＤＣアダプタ６０のような外部の電源からの外部電源電力の供給を本実施形態に係る医療用電動式吸引器ユニットが受けていない場合を示している。
この場合には、本実施形態に係る医療用電動式吸引器ユニットは、ＡＣ−ＤＣアダプタ６０のような外部の電源からは電力を供給されていないのであるから、バッテリパック２からのバッテリ電力のみが、電力供給回路系５１に供給される。
その供給されたバッテリ電力（の電流）は、電力供給回路系５１における、図７に太線の矢印Ｉbatt.で示した経路を辿って、電動ポンプ３０に供給され、その電動ポンプ３０を駆動する。
その経路中には、バッテリ電力よりも外部電源電力を優先的に選択して電動ポンプ３０に供給する電力供給電源選択回路５１１が設けられているが、この図７に示す状態の場合では、外部電源電力の供給を受けておらず、バッテリ電力のみが供給されているのであるから、そのバッテリ電力を電力供給電源選択回路５１１が電動ポンプ３０に供給することとなる。
【００３５】
図８は、本発明の一実施形態に係る医療用電動式吸引器ユニットの電気・電子的な回路構成における、バッテリ放電モードでの電力の流れであって、特に外部の電源から供給される電力が電動ポンプに供給される場合の電力の流れを、模式的に示す説明図である。
【００３６】
この図８では、バッテリ充放電モード切替スイッチ５３がバッテリ放電モードにあり、かつＡＣ−ＤＣアダプタ６０のような外部の電源からの外部電源電力が医療用電動式吸引器ユニットに供給されていると共に、それと並行して、バッテリ本体２１からも、バッテリ電力が供給されている場合を示している。
この場合には、外部の電源から供給される外部電源電力が、バッテリ本体２１から供給されるバッテリ電力よりも優先的に電力供給電源選択回路５１１によって選択されて、図８に太線の矢印Ｉex.powerで示した電流経路を辿って、電動ポンプ３０に供給され、その電動ポンプ３０を駆動する。
他方、バッテリ本体２１からのバッテリ電力は、既に説明したとおり、電力供給電源選択回路５１１において外部電源電力が優先的に選択されるのであるから、電力供給電源選択回路５１１よりも電流経路で下流側の電動ポンプ３０には供給されない。
すなわち、この場合には、バッテリ本体２１の放電が行われず、従って、そのバッテリ本体２１に蓄積されている電力が消費されないで済む、つまりバッテリ本体２１の蓄積電力量が保存されることとなる。
【００３７】
なお、上述の図８を用いて説明したバッテリ放電モードのときに、例えば外部の電源に何らかの予期せぬ故障等が突然に発生して、外部電源電力の供給が停止された場合には、その状態は、図７に示したようなバッテリ本体２１からバッテリ電力のみが供給される状態に等しいのであるから、電力供給電源選択回路５１１は必然的に、バッテリ本体２１からのバッテリ電力を選択し、それを電動ポンプ３０に供給することとなる。
つまり、外部電源電力の供給が突然に停止されたような場合には、バッテリ本体２１が所謂緊急時の補助動力電源となり得る、ということである。
【００３８】
＜実施形態の構成および効果＞
（１）  本実施形態に係る医療用電動式吸引器は、ボディ内に電動ポンプ３０が内蔵されている吸引器パック１と、吸引器パック１に少なくとも電動ポンプ３０を動作させるための電力を供給するバッテリ本体２１がボディ内に内蔵されているバッテリパック２とを有する、医療用電動式吸引器であって、バッテリパック２のボディが、吸引器パック１のボディに対して取り付けおよび取り外し可能に形成されている。
【００３９】
このような構成を有することから、吸引器パック１にバッテリパック２を極めて簡易に後付けおよび取り外しすることが可能となる。
【００４０】
（２）  また、バッテリパック２には、電力供給回路系５１と、バッテリ充電回路系５２と、バッテリ充放電モード切替スイッチ５３とが設けられており、電力供給回路系５１は、少なくともＣＰＵまたはマイコンを含まない、アナログ回路として形成されていて、外部の電源から供給される外部電源電力を電動ポンプ３０に供給する外部電源電力供給回路としての機能と、バッテリ本体２１から出力されるバッテリ電力を電動ポンプ３０に供給するバッテリ電力供給回路としての機能と、外部電源電力およびバッテリ電力のうち外部電源電力を優先的に電動ポンプ３０に供給する電力供給電源選択回路としての機能とを含んでおり、バッテリ充電回路系５２は、外部の電源から供給される外部電源電力を、バッテリ本体２１の充電のためのバッテリ充電電力として、バッテリ本体２１に供給する回路系であって、バッテリを充電する電力を調節してバッテリ本体２１の充電を制御するバッテリ充電制御回路５１４を含んでおり、バッテリ充放電モード切替スイッチ５３は、バッテリ本体２１からバッテリ電力を放電させて電動ポンプ３０に供給するバッテリ放電モードと、外部電源電力をバッテリ本体２１に充電させるバッテリ充電モードとの、切り替えを行うように構成されている。
【００４１】
すなわち、本実施形態に係る医療用電動式吸引器の主要な電気・電子回路系である、バッテリ本体２１の充放電管理を行うための電力供給回路系５１およびバッテリ充電回路系５２と、バッテリ電力と外部電源電力との切り替えを行うためのバッテリ充放電モード切替スイッチ５３とが、バッテリパック２側に集約して設けられた構成である。つまり、従来一部で採用されていたような吸引器本体の内部に設けられているのではなくて、バッテリパック２自体の内部に、充電器や放電制御装置等が集約して内蔵されている構成、ということである。
このような構成とすることにより、吸引器パック１のボディ内部に上述のような電気・電子回路系５１、５２およびバッテリ充放電モード切替スイッチ５３を組み込む煩雑な工程や作業を必要とすることなく、バッテリパック２を吸引器パック１に取り付けて各種コネクタを接続するだけという極めて簡易な作業のみで、そのバッテリバック２と吸引器パック１とをユニット化して使用することが可能となる。
また、そのようにバッテリパック２を吸引器パック１に取り付けてそれらをユニット化して使用するために必要な電気・電子回路５１、５２系およびバッテリ充放電モード切替スイッチ５３は、全てバッテリパック２側に集約して取り付けられているので、バッテリパック２を未だ取り付けられていない、単独で使用される状態の、吸引器パック１自体の内部構成を、極めて簡易なものとすることが可能となる。
【００４２】
（３）  また、電力供給回路系５１は、バッテリ本体２１の蓄電残量を計測して表示する、アナログ回路として形成された、バッテリ残量表示回路５１２と、バッテリ本体２１の蓄電残量が所定の閾値以下になると、それを検知してバッテリ本体２１からの放電を休止する、アナログ回路として形成された、バッテリ放電休止回路５１３とを、さらに含む。
【００４３】
このような構成を有することから、バッテリ本体２１の充放電管理を簡易かつ確実なものとすることが可能となる。
また、上述のように、電力供給回路系５１は、ＣＰＵやマイコンを含まない、従ってそれらの所謂デジタル回路系よりも耐環境性やメンテナンスフリー性の高いアナログ回路で構成されているので、例えば携帯用の医療用電動式吸引器のような、屋外など使用環境が厳しく、また十分なメンテナンスを施すことが困難な傾向にある情況に対しても十分な耐久性、信頼性を発揮することが可能である。
【００４４】
（４）  また、バッテリパック２には、バッテリパック２の外部の電源の外部電源電力供給コネクタ４３に接続されて、ＡＣ−ＤＣアダプタ６０のような外部の電源から供給される外部電源電力を受給するバッテリパック側外部電源電力受給コネクタ４１と、バッテリパック２に内蔵されているバッテリ本体２１から供給されるバッテリ電力、または、バッテリパック側外部電源電力受給コネクタ４１で受給した外部電源電力を、吸引器パック１に内蔵されている電動ポンプ３０に、吸引器パック１に設けられている吸引器パック側電力受給コネクタ４４を介して供給するバッテリパック側電力供給コネクタ４２とが設けられており、吸引器パック１には、外部の電源に接続されている外部電源電力供給コネクタ４３に接続されて、外部の電源から供給される外部電源電力を受給する吸引器パック側外部電源電力受給コネクタ４５と、バッテリパック側電力供給コネクタ４２に接続されて、バッテリパック２から供給される電力を受給する前記吸引器パック側電力受給コネクタ４４と、が設けられている。
【００４５】
このような構成を有することから、バッテリパック２を吸引器パック１に取り付けて各種コネクタを接続するという極めて簡易な作業だけで、バッテリバック２と吸引器パック１とをユニット化して使用することが可能となる。
また、吸引器パック１は、バッテリパック２を取り付けられていないときには、吸引器パック側外部電源電力受給コネクタ４５に外部電源電力供給コネクタ４３が接続されて、外部の電源から前記外部電源電力を受給し、バッテリパック２を取り付けられているときには、吸引器パック側電力受給コネクタ４４にバッテリパック側電力供給コネクタ４２が接続されて、バッテリパック２からバッテリ電力または外部電源電力を受給することが可能となる。
【００４６】
（５）  また、吸引器パック側外部電源電力受給コネクタ４５と、吸引器パック側電力受給コネクタ４４とが、１つのコネクタで以て兼用されており、かつ外部電源電力供給コネクタ４３およびバッテリパック側電力供給コネクタ４２が共に、１つのコネクタとの接続に適合するように構成されている。
【００４７】
このような構成を有することから、吸引器パック１が、バッテリパック２を取り付けられていないとき、および、バッテリパック２を取り付けられているときの、いずれの場合でも、吸引器パック１において兼用されている１つのコネクタを介して外部電源電力またはバッテリ電力を受給することが可能となる。
【００４８】
（６）  また、吸引器パック側外部電源電力受給コネクタ４５と、バッテリパック側外部電源電力受給コネクタ４１とが、同一種類の外部電源電力供給コネクタ４３との接続に適合するように構成されている。
【００４９】
このような構成を有することから、吸引器パック１が、バッテリパック２を取り付けられていないとき、および、バッテリパック２を取り付けられているときの、いずれの場合でも、上述の同一種類の外部電源電力供給コネクタ４３を有するＡＣ−ＤＣアダプタ６０のような外部の電源から、外部電源電力を受給することが可能となる。
【００５０】
＜定義等＞
・  本発明におけるバッテリパックとは、そのボディ内に少なくともバッテリ本体を収容または内蔵してなるものである。
そのバッテリ本体の具体的な例としては、例えば、ニッケル水素二次電池、リチウムイオン二次電池等である。
・  本発明における吸引器パックとは、そのボディ内に少なくとも吸引用電動ポンプを収容または内蔵してなるものである。
・  本発明における外部の電源とは、例えば家庭用コンセントに接続されて、そこから家庭用１００Ｖ交流電源を取り入れ、１２Ｖ程度の直流電圧に変換して出力する、所謂ＡＣ−ＤＣアダプタなどである。
【符号の説明】
【００５１】
１  吸引器パック
２  バッテリパック
２１  バッテリ本体
２２  操作用ツマミ
２３  バッテリ残量３段階表示灯
３０  電動ポンプ
４１  バッテリパック側外部電源電力受給コネクタ
４２  バッテリパック側電力供給コネクタ
４３  外部電源電力供給コネクタ
４４  吸引器パック側電力受給コネクタ
４５  吸引器パック側外部電源電力受給コネクタ
５０  電気・電子回路
５１  電力供給回路系
５２  バッテリ充電回路系
５３  バッテリ充放電モード切替スイッチ
５１１  電力供給電源選択回路
５１２  バッテリ残量表示回路
５１３  バッテリ放電休止回路
【図１】
2020175030.tif 000003
【図２】
2020175030.tif 000004
【図３】
2020175030.tif 000005
【図４】
2020175030.tif 000006
【図５】
2020175030.tif 000007
【図６】
2020175030.tif 000008
【図７】
2020175030.tif 000009
【図８】
2020175030.tif 000010